(57)【要約】【課題】デュアルバンドの携帯端末を低コスト化すると共に小型軽量化する。【解決手段】ＰＤＣ方式とＷ−ＣＤＭＡ方式とに基づいて信号の送受信を行うデュアルバンドの通信端末であり、Ｗ−ＣＤＭＡでの１波長分のアンテナ長を有し、Ｗ−ＣＤＭＡ方式に基づく信号の送受信を行うと共にＰＤＣ方式のアンテナダイバーシティ制御のもとでＰＤＣ方式に基づく信号を受信するアンテナ１２０と、ＰＤＣ方式に基づく信号の送受信を行うアンテナ１２０とを備える。【選択図】　　　　　図１
2004023536.tif 000002
【特許請求の範囲】
【請求項１】
第１の通信方式に基づく受信信号を受信する第１の受信装置と、
前記第１の通信方式に基づく送信信号を送信する第１の送信装置と、
前記第１の受信装置と第１の送信装置とが共用すると共に、該第１の通信方式とは異なる第２の通信方式に基づく受信信号を受信可能な第１のアンテナと、
前記第２の通信方式に基づく受信信号を受信する第２の受信装置と、
前記第２の通信方式に基づく送信信号を送信する第２の送信装置と、
前記第２の受信装置と第２の送信装置とが共用する第２のアンテナと、
前記第２の通信方式に基づく受信信号の受信状態に応じて当該受信信号を受信するアンテナを前記第１のアンテナと前記第２のアンテナとの間で切り替える切替装置と、
を備えたことを特徴とする通信端末。
【請求項２】
前記第１のアンテナを介して送受信される信号のうち、前記第２の通信方式に基づく受信信号のみを弁別して前記第２の受信装置に出力する受信信号弁別装置を備えたことを特徴とする請求項１記載の通信端末。
【請求項３】
第１の周波数帯域の受信信号を受信する第１の受信装置と、
前記第１の周波数帯域の送信信号を送信する第１の送信装置と、
前記第１の受信装置と第１の送信装置とが共用すると共に、該第１の周波数帯域とは異なる第２の周波数帯域に基づく受信信号を受信可能な第１のアンテナと、
前記第２の周波数帯域の受信信号を受信する第２の受信装置と、
前記第２の周波数帯域の送信信号を送信する第２の送信装置と、
前記第２の受信装置と第２の送信装置とが共用する第２のアンテナと、
前記第２の通信方式に基づく受信信号の受信状態に応じて当該受信信号を受信するアンテナを前記第１のアンテナと前記第２のアンテナとの間で切り替える切替装置と、
を備えたことを特徴とする通信端末。
【請求項４】
前記第１のアンテナを介して送受信される信号のうち、前記第２の周波数帯域の受信信号のみを弁別して前記第２の受信装置に出力する受信信号弁別装置を備えたことを特徴とする請求項１記載の通信端末。
【発明の詳細な説明】
【０００１】
【発明の属する技術分野】
本発明は通信端末に関する。
【０００２】
【従来の技術】
近時、ＰＤＣ（Ｐｅｒｓｏｎａｌ　Ｄｉｇｉｔａｌ　Ｃｅｌｌｕｌａｒ）方式とＷ−ＣＤＭＡ（Ｗｉｄｅ　ｂａｎｄ−Ｃｏｄｅ　Ｄｉｖｉｓｉｏｎ　Ｍｕｌｔｉｐｌｅ　Ａｃｃｅｓｓ）方式とで音声やデータ等の信号の送受信が行えるデュアルバンドの通信端末が考案されている。
図２に、上記従来のＰＤＣ方式とＷ−ＣＤＭＡ方式とに基づくデュアルバンドの通信端末２００の主要構成のブロック図を示す。
【０００３】
図２に示すように、通信端末２００は、Ｗ−ＣＤＭＡ方式に基づいて信号を送受信するアンテナ２１０と、Ｗ−ＣＤＭＡ方式に基づく送信信号と受信信号とを分離するデュプレクサ２１１と、Ｗ−ＣＤＭＡ方式に基づいて信号の送受信を行う受信装置２１２ａ及び送信装置２１２ｂと、ＰＤＣ方式に基づいて信号を送受信するアンテナ２２０と、ＰＤＣ方式に基づく送信信号と受信信号とを分離するデュプレクサ２２１と、ＰＤＣ方式に基づいて信号の送受信を行う受信装置２２２ａ及び送信装置２２２ｂと、ＰＤＣ方式のアンテナダイバーシティ制御で用いられるアンテナ２３０、バンドパスフィルタ２３１及び切替スイッチ２３１とを備える。ここで、バンドパスフィルタ２３１はＰＤＣ方式に基づく受信信号のみを通過させる。
【０００４】
ここで上記ＰＤＣ方式のアンテナダイバーシティ制御によれば、アンテナ２２０と受信信号との偏波の違いや位相関係が原因で受信信号が劣化した際に受信感度を向上させる為、時分割によりスイッチを高速に切り替えて２本のアンテナ２２０及び２３０のうちで受信状況が優れている方のアンテナ（すなわち、偏波面や装着位置が好適で受信信号強度が大となる側のアンテナ）で受信する。なお、図示及び説明簡略化の為、このアンテナダイバーシティ制御を行う制御部等についての図示及び説明を省略する。通信端末２００は、この図示しない制御部により通信端末２００の通信処理が制御される。すなわち、アンテナ２２０の受信感度が低下した場合、ＰＤＣ方式のアンテナダイバーシティ制御により切替スイッチ２３２が切り替わり、バンドパスフィルタ２３１を通過したＰＤＣ方式に基づく受信信号が受信装置２２２ａに入力される。
【０００５】
すなわち、通信端末２００は、ＰＤＣ方式とＷ−ＣＤＭＡ方式とに基づく信号の送受信を可能にする為に、三つのアンテナ２１０、２２０及び２３０を備える。
【０００６】
【発明が解決しようとする課題】
しかし、上記従来のデュアルバンドの通信端末２００は、上記したように三つのアンテナ２１０、２２０及び２３０を備える為、コストが高くなると共に小型軽量化を図るのが困難となる。
【０００７】
本発明の課題は、デュアルバンドの携帯端末を低コスト化すると共に小型軽量化することである。
【０００８】
【課題を解決するための手段】
上記課題を解決するため、本発明は、
第１の通信方式に基づく受信信号を受信する第１の受信装置と、
前記第１の通信方式に基づく送信信号を送信する第１の送信装置と、
前記第１の受信装置と第１の送信装置とが共用すると共に、該第１の通信方式とは異なる第２の通信方式に基づく受信信号を受信可能な第１のアンテナと、
前記第２の通信方式に基づく受信信号を受信する第２の受信装置と、
前記第２の通信方式に基づく送信信号を送信する第２の送信装置と、
前記第２の受信装置と第２の送信装置とが共用する第２のアンテナと、
前記第２の通信方式に基づく受信信号の受信状態に応じて当該受信信号を受信するアンテナを前記第１のアンテナと前記第２のアンテナとの間で切り替える切替装置と、
を備えたことを特徴とする。
【０００９】
更に、前記第１のアンテナを介して送受信される信号のうち、前記第２の通信方式に基づく受信信号のみを弁別して前記第２の受信装置に出力する受信信号弁別装置を備えるのが好ましい。
【００１０】
また上記課題を解決するため、本発明は、
第１の周波数帯域の受信信号を受信する第１の受信装置と、
前記第１の周波数帯域の送信信号を送信する第１の送信装置と、
前記第１の受信装置と第１の送信装置とが共用すると共に、該第１の周波数帯域とは異なる第２の周波数帯域に基づく受信信号を受信可能な第１のアンテナと、
前記第２の周波数帯域の受信信号を受信する第２の受信装置と、
前記第２の周波数帯域の送信信号を送信する第２の送信装置と、
前記第２の受信装置と第２の送信装置とが共用する第２のアンテナと、
前記第２の通信方式に基づく受信信号の受信状態に応じて当該受信信号を受信するアンテナを前記第１のアンテナと前記第２のアンテナとの間で切り替える切替装置と、
を備えたことを特徴とする。
【００１１】
更に、前記第１のアンテナを介して送受信される信号のうち、前記第２の周波数帯域の受信信号のみを弁別して前記第２の受信装置に出力する受信信号弁別装置を備えるのが好ましい。
【００１２】
【発明の実施の形態】
以下、図１を参照して本発明の実施の形態における通信端末１００について詳細に説明する。
【００１３】
通信端末１００は、ＰＤＣ方式とＷ−ＣＤＭＡ方式とに基づいて信号の送受信を行うデュアルバンドの通信端末である。
図１には、通信端末１００の主要構成のブロック図を示す。なお、図示及び説明簡略化の為、通信端末１００の通信処理を制御する制御部等についての図示及び説明を省略する。
【００１４】
図１に示すように、通信端末１００は、Ｗ−ＣＤＭＡ方式に基づいて信号を送受信すると共にＰＤＣ方式のアンテナダイバーシティ制御の元でＰＤＣ方式に基づく信号を受信するアンテナ１１０と、Ｗ−ＣＤＭＡ方式に基づく送信信号と受信信号とを分離するデュプレクサ１１１と、Ｗ−ＣＤＭＡ方式に基づいて信号の送受信を行う受信装置１１２ａ及び送信装置１１２ｂと、ＰＤＣ方式に基づいて信号を送受信するアンテナ１２０と、ＰＤＣ方式に基づく送信信号と受信信号とを分離するデュプレクサ１２１と、ＰＤＣ方式に基づいて信号の送受信を行う受信装置１２２ａ及び送信装置１２２ｂと、ＰＤＣ方式のアンテナダイバーシティ制御で用いられるバンドパスフィルタ１２３及び切替スイッチ１２４とを備える。
ここで、受信装置１１２ａは本発明の請求項に記載された第１の受信装置が有する機能を実現し、送信装置１１２ｂは第１の送信装置が有する機能を実現し、アンテナ１１０は第１のアンテナが有する機能を実現し、受信装置１２２ａは第２の受信装置が有する機能を実現し、送信装置１２２ｂは第２の送信装置が有する機能を実現し、アンテナ１２０は第２のアンテナが有する機能を実現し、バンドパスフィルタ１２３は受信信号弁別装置が有する機能を実現し、切替スイッチ１２４は切替装置が有する機能を実現する。
【００１５】
アンテナ１１０は、Ｗ−ＣＤＭＡ方式での１波長分の長さ（略１５０ｍｍで、ＰＤＣ方式での１波長の略３／４倍）のアンテナ長を有する。ここで、アンテナの送受信効率は一般に１／４波長の整数倍のアンテナ長の場合に良好となる。従って、アンテナ１１０は、Ｗ−ＣＤＭＡ方式及びＰＤＣ方式の何れの場合においても良好な送受信効率が実現できると共に、Ｗ−ＣＤＭＡ方式やＰＤＣ方式での各１／４波長よりもアンテナ長が長いので、十分な受信強度が得られる。
【００１６】
また、バンドパスフィルタ１２３は、ＰＤＣ方式の受信信号のみを通過させる。また、バンドパスフィルタ１２３は、ＰＤＣ方式の周波数帯域で高インピーダンスとなる。この為、切替スイッチ１２４が切り替わってＰＤＣ方式に基づく受信信号がバンドパスフィルタ１２３を通過して受信装置１２２ａに入力されても、当該ＰＤＣ方式に基づく受信信号と同じアンテナ１１０を介して送受信されるＷ−ＣＤＭＡ方式に基づく信号には殆ど影響しない。
【００１７】
切替スイッチ１２４は、アンテナ１２０の受信感度が低下した場合、ＰＤＣ方式のアンテナダイバーシティ制御によって切り替わり、バンドパスフィルタ１２３を通過したＰＤＣ方式に基づく受信信号が受信装置１２２ａに入力される。
【００１８】
以上説明したように、本発明を適用した通信端末１００は、ＰＤＣ方式とＷ−ＣＤＭＡ方式とに基づいて信号の送受信を行うデュアルバンドの通信端末であり、Ｗ−ＣＤＭＡでの１波長分のアンテナ長を有し、Ｗ−ＣＤＭＡ方式に基づく信号の送受信を行うと共にＰＤＣ方式のアンテナダイバーシティ制御のもとでＰＤＣ方式に基づく信号を受信するアンテナ１１０と、ＰＤＣ方式に基づく信号の送受信を行うアンテナ１２０とを備える。
【００１９】
従って、Ｗ−ＣＤＭＡ方式のアンテナ１１０で、ＰＤＣ方式のアンテナダイバーシティ制御で用いられるＰＤＣ方式の受信信号が受信可能となるので、アンテナはアンテナ１１０とアンテナ１２０の２系統となり、従来ある３系統アンテナのデュアルバンドの通信端末に比べてアンテナが一つ少ない分低コスト化が図られると共にアンテナ等の部品が少なくて済むので小型軽量化が実現できる。
【００２０】
なお、本実施の形態における記述は、本発明に係る通信端末の一例を示すものであり、これに限定されるものではない。本実施の形態の通信端末１００の細部構成、及び詳細動作に関しては、本発明の趣旨を逸脱しない範囲で適宜変更可能である。
【００２１】
【発明の効果】
本発明によれば、デュアルバンドの携帯端末の低コスト化が図られる共に小型軽量化が実現できる。
【図面の簡単な説明】
【図１】本発明を適用した通信端末の主要構成を示すブロック図である。
【図２】従来の通信端末の主要構成を示すブロック図である。
【符号の説明】
１００　通信端末
１１０　アンテナ
１１１　デュプレクサ
１１２ａ　受信装置
１１２ｂ　送信装置
１２０　アンテナ
１２１　デュプレクサ
１２２ａ　受信装置
１２２ｂ　送信装置
１２３　バンドパスフィルタ
１２４　切替スイッチ
【図１】
2004023536.tif 000003
【図２】
2004023536.tif 000004